(57)【要約】      （修正有）【課題】外耳道の耳垢を掻く竹や木製の耳かき具において、軸部が太く、安定感が有り使用し易く、また、洗浄性に優れた耳かき具を提供する。【解決手段】竹材または、木材を素材とした掻き部２と軸部３を形成する耳かき部を備え、耳かき部の軸部３を被覆材４ａ〜４ｄで被覆し、手で持つ部分の厚みを厚くする。さらに、被覆材をエラストマー、シリコーン樹脂とすると共に、付属部として紐などを掛ける貫通穴６ａ、立て置きする立て置き台６ｂ、壁面などに吸い付ける吸盤、羽毛などで形成した略球状の梵天７、耳を掻く他の掻き部７ａを設けた。さらに、竹や木材の素材に含浸剤を含浸したことを特徴とする耳かき具。  【選択図】図２
0003179784.tif 000002
【実用新案登録請求の範囲】
【請求項１】
耳穴を掃除する耳かき具において、
前記耳かき具は、竹材または、木材を素材により掻き部と軸部を形成する耳かき部を備え、
前記耳かき部の軸部に保護材で被覆した保護部を設け、
前記保護部の指で持つ部分の厚みを４ｍｍ以上、または、直径を４ｍｍ以上とした
ことを特徴とする耳かき具。
【請求項２】
請求項１に記載の耳かき具であって
前記掻き部先端までの前記保護材の被覆部を設けていない部分を弾性部の長さとし、
前記弾性部の長さを５０ｍｍ以上とすると共に、
前記弾性部の長さの軸部の軸断面積を７．１平方ｍｍ以下とした
ことを特徴とする耳かき具。
【請求項３】
請求項１から２のいずれかに記載の耳かき具であって
前記保護材を柔軟性のある樹脂で成形した
ことを特徴とする耳かき具。
【請求項４】
請求項１から３のいずれかに記載の耳かき具であって
前記柔軟性のある樹脂をエラストマー樹脂、または、シリコン樹脂とした
ことを特徴とする耳かき具。
【請求項５】
請求項１から４のいずれかに記載の耳かき具であって
前記耳かき部の素材に、含浸剤を含浸した
ことを特徴とする耳かき具。
【請求項６】
請求項１から５のいずれかに記載の耳かき具であって
前記柄の前記掻き部側の反対端に、付属の機能として、紐などを掛ける貫通穴、立て置きする立て置き台、壁面などに吸い付ける吸盤、羽毛などで形成した略球状の梵天、耳を掻く掻き部、のいずれかを備えた
ことを特徴とする耳かき具。
【考案の詳細な説明】
【技術分野】
【０００１】
本考案は、竹や木製の耳かき具に関する。
【背景技術】
【０００２】
現在、耳の外耳を掃除するものとして、綿棒や耳かき具が使用されている。
【０００３】
耳かき具は、耳垢を取る用具として、細い棒状の柄の先端に匙状の部分を備えた竹製や金属製の耳かき具が使用されて来たが、近年、掻きすぎによる外耳道の傷つけ防止対策を考慮などの理由からシリコンゴムを利用したものや、ワイヤをループ状に重ねたもの、ワイヤをコイル状にした耳かき具などがある。しかし、そのような中でも竹製の耳かき具は現在も需要が根強い。しかし、竹製の耳かき具は、竹の抗菌性、殺菌性、脱臭性などの作用や、特に柄に竹の弾力を利用（外圧を和らげるダンパー機能）した利点があるが、竹の柄は持ちにくく、デザイン性にも欠けていた。
特許文献１に、ストレート軸の両端近傍にそれぞれ複数本の環状溝を所定間隔毎に配設したものが開示されている。
特許文献２には、柄部に連続して一体に形成されるとともに、柄部よりも小径の棒状部を有し、前記柄部とは反対側の前記棒状部に耳掻き部が一体に設けられた耳掻きにおいて、前記柄部に装飾体を設けた構成した耳かきが開示されている。
特許文献１では、ストレート軸であり、持ちにくい。特許文献２では、持ち易さよりも装飾性を優先していると共に、装飾部を竹としているもので、軸や柄を従来の竹などの軸が外圧を和らげる為のダンパー機能を果たしているわけでは無い。
また、従来の耳かき具において軸部に細い糸を巻いたものや色を付けたものがあったが、太く持ちやすくする、滑りにくくするなど持ち易さを向上したものでは無く、色を付けて視認性を高める目的が主であった。高齢化が進む現代において、お年寄りにとって軸の細い耳かきは持ちにくく不便である。
【先行技術文献】
【特許文献】
【０００４】
【特許文献１】登録実用新案第３１４１１４９号
【特許文献２】公開特許公報２００４−１３６０１４号
【考案の概要】
【考案が解決しようとする課題】
【０００５】
本考案は、竹や木製の耳かき具において、柄で外圧を和らげるダンパー機能や、竹材または、木材の風格など従来の耳かきと同じ様な機能と使用感を備えると共に、従来より扱いやすく、便利なデザイン性に優れた耳かきを提供しようとするものである。
【課題を解決するための手段】
【０００６】
上記課題を解決するために、本考案に係る耳かき具の一例は、耳穴を掃除する耳かき具において、前記耳かき具は、竹材または、木材を素材とした、掻き部と軸部で構成する耳かき部を備え、軸部を保護材で被覆し、手でも持つ部分の厚みを４ｍｍ以上とした耳かき具である。さらに、保護材はエラストマー樹脂やシリコン樹脂とし、竹材又は木材を含浸材で含浸した耳かき具である。
【考案の効果】
【０００７】
本考案によれば、従来からの耳かきの特性を生かしながら、使い心地が良いと共に、便利で、デザイン性に優れた耳かき具を提供することが可能となる、また、高齢化によるお年寄りの使用に対応する事が出来る。
【図面の簡単な説明】
【０００８】
【図１】本考案の実施例の平面図と側面図を示す。
【図２】本考案の実施例の変形例の平面図を示す。
【図３】本考案の他の実施例の平面図と側面図を示す。
【考案を実施するための形態】
【０００９】
本考案の実施の形態について、以下、図に基づいて説明する。
【００１０】
図１は、本考案の実施例の平面図と側面図を示し、（ａ）は耳かき具１の使用時の指９で摘んだ状態の例を記載したものである。耳掻き具１は竹材、または木材（ここでは竹材で解説）で掻き部２と軸部３で構成された耳掻き部８の柄３に被覆材で被覆した被覆部４を有する耳かき具１を示す。  
被覆部４は、例えばエラストマー樹脂を用い竹材で形成した軸部３の、少なくとも耳かき操作時の指を持つ部分の範囲で被覆し、板状時厚みを４ｍｍ以上、円柱状時径４ｍｍ以上（例えば５ｍｍの円柱状）としたものである。これにより従来の軸を指先で摘み操作する際に、指先が安定して耳かき操作を行う事が出来る。また、表面がエラストマー樹脂の様な柔軟性の素材とすることにより、滑り落としなどの発生を防止する事が出来る。このため使用時に安定し、安心感が得られる結果となる。ここでの被覆材４の外形断面は円形を示し指で転がすように容易に掻き部先端の方向を変えることが出来る。また、一方では、指で摘む感覚が掻き部２の先端方向を明確に解るために、軸部を楕円形の断面形状や多角形の断面形状としても良いものである。
被覆の方法は、耳かき部８を形成後、軸部３にインジェクション成形によるインサート成形する。また、シリコンゴムなどをコンプレッション成形しても良い。さらには、軸部３に筒状に成形した筒状体を差し込んでも良い。
【００１１】
また、軸部３は竹材の弾力を利用する為に弾力部の長Ｌを５０ｍｍ以上（例えば６０ｍｍ）として、被覆しない部分を設けている。これにより耳掻き時の外耳を掻く際の外力を吸収するダンパーの役割を有効とする。また、軸部３の軸断面積を７．１平方ｍｍ（円形軸径で約３ｍｍ）以下（例えば直径２．５ｍｍ）としたものである。耳かき時の外耳皮膚に加わる加重の量は、個人差が多いと共に先端の仕上げ状態なども影響し適正値は難しい。
ここでは、弾力部の長Ｌと、軸部３の軸断面積から、矢印で示す先端Ｓ方向に加重を掛けた場合に、５０ｇで約３ｍｍ可動する範囲が得られる。この値は竹材や仕上げにより差異が有るものの、外耳に傷を付けない配慮として必要な量と考えられる。
以下、上記説明と同じ部分は省略する。
【００１２】
図２は、本考案の実施例の変形例の平面図を示し、耳かき具１の掻き部２の反対端側に付属物を設けたものを示す。（ａ）は被覆材４ａの指握り部付近の表面に溝を掘り、滑り止め５を設けると共に、掻き部２と反対端側に糸や紐、ストラップなどを通す貫通穴の付属部６ａを設けたものである。（ｂ）は、被覆材４ｂと一体化した略ラッパ状の立て置きする立て置き台の付属部６ｂを設けたものを示し、耳かき具１を立てて置くものである。また、立て置き台６ｂは吸盤とし、壁やガラス窓などに貼り付けられる様にしても良い。（ｃ）は鳥の羽毛などを略球体状にまとめて軸部に縛り付け梵天とした、付属部７を設けたものであり、梵天は耳かき後の外耳内の粉状耳垢を清掃したりするものである。（ｄ）は、被覆材４ｄと同じ材質を延長し、先端に略円盤状の耳垢を掻く掻き部である付属部７ａを設けたものである。ここでは、円盤状の耳かきを示すが、掻き部２と異なる大きさの耳かきを付属させるなどでも良い。それぞれの付属部は、付属したことにより耳かき具１の利便性をより向上している。
【００１３】
図３は、本考案の他の実施例の平面図と側面図を示し、耳かき具１の軸部３は平板状とし、平面の両側に被覆材４ｅを設けたものを示す。また、両側の被覆材４ｅは、貫通穴ｈによって接続されている状態を示す。ここで、貫通穴を用いずとも、軸部に被覆部４ｅ（例えば黒檀などの木材や、アクリル製の板）を接着してもよい。また、被覆部４ｅそれぞれを軸部３に勘合させて留めても良い。これによりデザイン性に優れた耳かき具となる。
【００１４】
さらに、耳かき部８の素材に対する含浸について説明する。竹や木材に対し含浸を行うことにより、含浸剤が柔細胞や維管束鞘内の導管、師管の空洞を含浸剤で埋めることにより、掻き部の先端付近をなめらかに加工仕上げることができる。
例えば、竹材にエポキシ樹脂剤を真空含浸処理することにより、竹材の柔細胞や、維管束鞘の空洞である導管や師管部にエポキシ樹脂が含浸され、ほぼ均一な強度の素材とすることができる。これにより、特に掻き部先端付近の切削加工時の硬度の違いから起こる凸凹や、使用時に発生する凸凹の発生を防止することができるものである。
含浸方法は、真空含浸が最良であるが減圧含浸、加圧含浸でも良い。
含浸を行っても維管束鞘は、模様として残り、従来の竹製の風合いが反映される。また、含浸する事により、乾燥の浅い、または、乾燥年月の経っていない竹材でも、柔細胞部の色合いが濃くなり例えば、すすだけの風合いを出すことや、含浸剤に色（例えば鮮やかなピンクや青、緑色）を加えることにより、今までにない新たなデザイン性を向上する事が出来る。
また、竹材の乾燥を長期間行わずとも、含浸することにより強度を上げる事が出来るため、生産性が向上する。乾燥後の維管束鍔はセルロース繊維のため含浸剤の浸透は少ない。
また、前記で記載したの含浸処理は、含浸を先に行い形成しても、竹材を曲げ加工した後に含浸を行ってもよく、仕上げ前に含浸を行うことにより浸透性向上や、含浸材や部材のムダ減らすことを可能になる。
上記記載では竹製を前提にしているが、木製においても導管や師管が同じ様に存在しするので同じ事とし説明を割愛する。また、一般に木製は黒檀の様に硬度の高い素材を除き折れやすい為、竹と同じ様に繊維に沿って形成するのが望ましい。また、その際に全体を含浸する事により硬度を増すことが出来るので有効である。
【００１５】
含浸剤として、エポキシ、アクリル、ポリフェノール系樹脂などの硬質系が適切で、他に、ポリエチレン、ポリウレタン、シリコーン系樹脂や、複合剤を利用しても良い。
また、セラミックスゾル、またはセラミックスゾルと金属塩水溶液の混合液を、減圧下で木材の空隙中に強制注入して硬化させる方法や、ガラス成分を含浸させる方法や、トロポロン類を含浸させる方法がある。これらは、それぞれの利点と欠点に応じて利用しても良い。また、含浸を行う事により、水分の吸収性を押さえる事が出来るために衛生的な上に、水洗いなどや、アルコール消毒が容易となり衛生的となる。また、トロポロン類などにより殺菌性を向上させる事も出来る。さらに、ささくれや、ひび割れ、変形を押さえる事が出来る。
また、竹材により形成された耳かき具の先端に、同様の含浸材などを塗布しても良い。
【００１６】
以上、本考案の実施形態例を説明した。本考案は、これらに制限されることなく、その技術的思想の範囲内でさらに様々な変形が可能であり、それらは全て本考案に含まれる。
【符号の説明】
【００１７】
１：耳かき具、２：掻き部、３：軸部、４ａ・４ｂ・４ｃ・４ｄ・４ｅ：被覆部、５：滑り止め、６ａ：貫通穴、６ｂ：立て置き台、７：梵天、７ａ：他の掻き部、８：耳かき部、Ｌ：弾力部の長さ、ｄ１：軸部径、ｄ２：柄部径、ｈ：貫通穴
【図１】
0003179784.tif 000003
【図２】
0003179784.tif 000004
【図３】
0003179784.tif 000005